(57)【要約】【課題】 底台の構造を簡略化し、更に両足踏板の広い移動角度を具え、且つ底台の受力位置を下げることによって、安全を向上させるステッパーの構造を提供する。【解決手段】 ステッパーの構造は、両足踏板に於いて足つま先の一端に相対して下向きに短柱が伸び、その短柱の末端には軸カバーが設置される。また両足踏板にはそれぞれ底台に軸設された前横桿が設置され、前横桿の両端には桿カバーが設置され、両足踏板は前横桿を軸心として上下運動する。【選択図】図２  
0003112751.tif 000002
【実用新案登録請求の範囲】
【請求項１】
底台上に二個の連動した足踏板を軸設し、相対して上下運動させて擬似歩行運動を行うもので、底台には前横桿、前横桿の中心から後方に向かって伸びる中心桿によって構成されるステッパーの構造において、そのうち、
両足踏板には各々足のつま先に相対する一端から下向きに短柱が伸び、その短柱の末端には軸カバーが設置され、両足踏板は軸カバーによってそれぞれ前横桿に於いて中心桿両端に対応する位置に相対し、両足踏板が前横得を軸心として上下移動することを特徴とするステッパーの構造。
【請求項２】
前記底台の中心桿は、連動塊を設置し、その連動塊両側には足踏板と連結する連桿が横に伸び、連動塊によって両足踏板が連動することを特徴とする請求項１記載のステッパーの構造。
【請求項３】
前記底台の中心桿は、連動塊を設置し、その連動塊は挟持塊の上下片の間に設置され、且つ連動塊の両側は足踏板と連結する連桿が横に伸び、また連動塊は軸設箇所の別端に抵抗板が伸び、この挟持塊は抵抗板の一側面に相対して挟持ネジ桿を設置し、その挟持ネジ桿は上下挟持片の間に穿設され、別に回転ネジが挟持ネジ桿の末端に設置され、回転ネジによって上下挟持片が抵抗板を挟む程度を調節し、更には足踏板の抵抗レベルの大小を調節することを特徴とする請求項１記載のステッパーの構造。
【請求項４】
前記挟持ねじ桿は、挟持塊の下挟持片から上向きに上挟持片を突き抜け、回転ネジと上挟持片の間に弾性パッキンを設置することを特徴とする請求項３記載のステッパーの構造。
【請求項５】
前記弾性パッキンは、ゴム製の環状形体であることを特徴とする請求項４記載のステッパーの構造。
【請求項６】
前記上下挟持片と抵抗板は、その間に均一に摩擦塊が設置されることを特徴とする請求項３記載のステッパーの構造。
【請求項７】
前記連動塊と挟持塊は、穿設軸によって底台の中心桿箇所に軸設し、その中心桿には枢設耳が設置されて穿設軸の底端に枢設され、穿設軸の後端に相対して台を設置し、別に調節ネジを穿設軸箇所に設置し、台板と共に押しボタンを構成し、調節ネジによって穿設軸の角度調節し、足踏板の高度を調節することを特徴とする請求項３記載のステッパーの構造。
【請求項８】
前記底台は、中心桿の末端に前横桿と対応する後横桿が連接され、その後横桿は足踏板末端位置に対応して緩衝部品が設置されることを特徴とする請求項１記載のステッパーの構造。
【請求項９】
前記緩衝部品は、ゴム製の方形体であることを特徴とする請求項８記載のステッパーの構造。
【請求項１０】
前記緩衝部品は、バネによって構成されることを特微とする請求項８記載のステッパーの構造。
【考案の詳細な説明】
【技術分野】
【０００１】
本考案は、ステッパーの構造に関するもので、構造が簡単で、動作が確実、且つ二枚の足踏板が大きく回転し、安全性を向上させたものである。
【背景技術】
【０００２】
フイットネス器具には戸外で行う運動を室内でできるようにした構造が多く、例として、ステッパー（もしくは足踏み機）は使用者の両足の踏む力によって上下運動を行い、擬似歩行することによって、健康を促進するものである。
【０００３】
図1 に示すとおり、公知のステッパーは、主に両足踏板２０の前端を底１０上に枢設し、更に両足踏板２０は油圧缸３０と連結する。この油圧缸３０の減衰作用によって、両足踏板２０が相対して上下運動し、足踏板２０動作を維持させ、油圧紅によって足踏板２０の動きに適度な抵抗を与える。
【０００４】
図1 に示す公知のステッパー底台１０には前後に横桿１１、１２を具え、その前後横桿１１、１２の中心から中心桿１３が伸びて連結する。更に前横桿１１の中央上向きには支持桿１４が設置され、その支持桿１４の両側には突出した軸桿１５が伸びて足踏板２０に軸設する。しかし、これらの底台１０構造は複雑でありながら、底台１０の受力点が支持桿１４の最上端にあるため、力の掛け方が正しくないと、容易に倒れてしまう。また足踏板２０の作用は軸桿１５と支持桿１４の間の剪断応力作用によって集中し、軸桿１４が折れやすい。
【考案の開示】
【考案が解決しようとする課題】
【０００５】
解決しようとする問題点は、底台の受力位置が高すぎるため、倒れやすく、危険である点である。
【課題を解決するための手段】
【０００６】
本考案は、両足踏板に於いて足つま先の一端に相対して下向きに短柱が伸び、その短柱の末端には軸カバーが設置される。また両足踏板にはそれぞれ底台に軸設された前横桿が設置され、前横桿の両端には桿カバーが設置され、両足踏板は前横桿を軸心として上下運動することを最も主要な特徴とする。
【考案の効果】
【０００７】
本考案のステッパーの構造は、底台の構造を簡略化し、更に両足踏板の広い移動角度を具え、且つ底台の受力位置を下げることによって、安全を向上させるという利点がある。
【考案を実施するための最良の形態】
【０００８】
図2 に示すとおり、底台１０上に二枚の連動する足踏板２０が軸設され、両足踏板２０が相対して上下運動することによって、擬似歩行運動によって健康を促進する。図３にも示すように、底台１０は前横桿１１中心から後方に向かって中心桿１３が伸び、その中心得１３の末端は、前横桿１１と相対する後横桿１２が連接され、これらの安定した構造で地面に設置する。
【０００９】
両足踏板２０には足のつま先一端から下に向かって短柱２１が相対し、その短柱２１の末端には軸カバー２２が設置される。両足踏板２０は、軸カバー２によって前横桿１１にそれぞれ軸設されて中心桿１３両端位置で相対する。当実施例では、前横桿１１の両端に桿カバー１６が設置されて、足踏板２０の軸カバー２２が地面に接触しないようにしている。図４に示すとおり、前横桿１１が上下運動の軸心となる。また底台１０の後横桿１２の足踏板２０末端位置と対応する位置には緩衝部品１９を設置する。その緩衝部品１９は、ゴム製のサイコロ形状で（緩衝部品１９はバネでもよい）、足踏板２０が下がる時の衝撃を吸収する。
【００１０】
本考案のステッパーは、底台１０フレームを簡略化しただけでなく、底台１０ の受力位置を下げ、安全な使用を目的とする。特に短柱２１が延長したことによって、両足踏板２０が動く角度が大きくなり、運動効果を更に向上させる。
【００１１】
図３及び図５に示すとおり、ステッパーの底台１０中心得１３位置に連動塊４０を設置し、その連動塊４０の両側桿には、足踏板２０と連結する連桿４１が伸び、連動塊４０によって両足踏板の連動がよりよくなる。本実施例中、連動塊４０は、挟持塊６０の上下挟持片６１、６２の間に挟み、連動塊４０と挟持塊６０は、穿設軸５０によって底台１０の中心桿１３に軸設され、その中心桿１３には別に枢設耳１７が設置されて穿設軸５０の底端に枢設される。また穿設軸５０に相対する後端には台板１８が設置され、別に調節ネジ７０を穿設軸５０に螺設して台板１８と共に押しボタンを構成し、調節ネジ桿７０で穿設軸５０の角度を調整し、足踏板２０の運動高度を調節する。
【００１２】
この他、連動塊４０は、穿設軸５０に対応する別端に（連動塊の軸設箇所）、抵抗板４２が伸び、挟持塊６０は抵抗板４２の一側面に相対して挟持ネジ桿６３が設置され、挟持ネジ桿６３は、挟持塊６０の下挟持片６２から上向きに上挟持片６１を突き抜け、挟持ネジ桿６３の末端には回転ネジ６４を設置する。その回転ネジ6 4 と上挟持片61 の間には弾性パッキン６５が設置され、その弾性パッキン６５はゴム製の環状形体で、上下挟持片６１、６２と抵抗板４２の間に各々摩擦塊６６を設置し、回転ネジ６４によって、上下挟持片６１、６２の摩擦塊６６が抵抗板４２の挟持程度を制御し、足踏板２０の運動抵抗力の程度を調節する。
【図面の簡単な説明】
【００１３】
【図１】公知のステッパー外観構造図である。
【図２】本考案のステッパー外観構造図である。
【図３】本考案のステッパー平面構造図である。
【図４】本考案のステッパー使用状態図である。
【図５】本考案の挟持塊と連動塊の構造断面図である。
【符号の説明】
【００１４】
10  底台
11  前横桿
12  後横桿
13  中心桿
14  支持桿
15  軸桿
16  桿カバー
17  枢設耳
18  台板
19  緩衝部品
20  足踏板
21  短柱
22  軸カバー
30  油圧缸
40  連動塊
41  連桿
42  抵抗板
50  穿設軸
60  挟持塊
61  上挟持片
62  下挟持片
63  挟持ネジ桿
64  回転ネジ
65  弾性パッキン
66  摩擦塊
70  調節ネジ桿
【図１】
0003112751.tif 000003
【図２】
0003112751.tif 000004
【図３】
0003112751.tif 000005
【図４】
0003112751.tif 000006
【図５】
0003112751.tif 000007